(57)【特許請求の範囲】
【請求項１】
縦方向および横方向を有し、透液性のトップシートと、不透液性のバックシートと、これらシートの間に位置する吸収体とを含む吸収性シートにおいて、
前記吸収体は、前記縦方向に並ぶ第１吸収部、第２吸収部および第３吸収部を有し、前記第２吸収部および第３吸収部間に位置する前記トップシートと、前記第１吸収部に位置する前記トップシートとが、接合手段によって互いに接合され、
前記第２吸収部と前記第３吸収部とは、互いに連続して形成されることを特徴とする前記吸収性シート。
【請求項２】
縦方向および横方向を有し、透液性のトップシートと、不透液性のバックシートと、これらシートの間に位置する吸収体とを含む吸収性シートにおいて、
前記吸収体は、前記縦方向に並ぶ第１吸収部、第２吸収部および第３吸収部を有し、前記第２吸収部および第３吸収部間に位置する前記トップシートと、前記第１吸収部に位置する前記トップシートとが、接合手段によって互いに接合され、
前記第１吸収部と前記第２吸収部とは、互いに連続して形成されることを特徴とする前記吸収性シート。
【請求項３】
前記第１吸収部と前記第２吸収部との間には、前記横方向に延びる折曲線が形成される請求項１又は２に記載の吸収性シート。
【請求項４】
前記接合手段は、前記横方向に延びる請求項１〜３のいずれかに記載の吸収性シート。
【請求項５】
前記吸収体は、芯材と、前記芯材を覆う被覆シートと、前記被覆シートと前記バックシートとの間に位置する漏れ防止シートとを含み、
前記第３吸収部の前記縦方向外側において、前記トップシートおよび前記バックシートが互いに直接接合され、前記芯材が存在しない非存在領域をさらに含む請求項１〜４のいずれかに記載の吸収性シート。
【請求項６】
前記第２吸収部は、前記第１吸収部の厚さ方向に積層される請求項１記載の吸収性シート。
【請求項７】
前記非存在領域が位置する前記バックシートには、被固定部材に対する固定手段が形成される請求項５に記載の吸収性シート。
【請求項８】
前記第２および第３吸収部の保水量は、５００〜４０００ｇ／ｍ２である請求項１〜７のいずれかに記載の吸収性シート。
【請求項９】
前記第３吸収部は、前記縦方向における長さ寸法が２０〜１００ｍｍである請求項１〜８のいずれかに記載の吸収性シート。
【発明の詳細な説明】
【技術分野】
【０００１】
この発明は、吸収性シートに関し、より詳しくは、ペットの尿等の体液を吸収する吸収性シートに関する。
【背景技術】
【０００２】
従来、ペット用の吸収性シートは公知である、例えば、特許文献１には、透液性の表面シートと、不透液性の裏面シートと、これらシートの間に位置する吸収コアとを有する吸収性シートが開示されている。この吸収性シートは、吸収コアが存在しないフラップが形成され、吸収性コアが存在する部分を床面に配置し、フラップを壁に取り付けて使用することができる。特許文献２には、水分吸収体と、その裏面に位置するビニールカバーとを有する吸収性シートが開示されている。この吸収性シートは、水分吸収体に折り目が形成され、折り目を境界にしてその一方を床面に取り付け、他方を壁に取り付けて使用することができる。したがって、特に雄犬が壁に向かって尿を排泄した場合であっても、壁側に位置するシート部分によって壁が尿で汚れるのを防ぐことができる。
【先行技術文献】
【特許文献】
【０００３】
【特許文献１】特開２００１−８５６８号公報（ＪＰ  ２００１−８５６８  Ａ）
【特許文献２】実開昭６３−１７８４５１号公報（ＪＰ  ６３−１７８４５１  Ｕ）
【発明の概要】
【発明が解決しようとする課題】
【０００４】
上記のような特許文献１および２記載の吸収性シートにおいて、壁側のシート部分に尿が排泄された場合、尿が壁側のシート部分から床面のシート部分へと移行し、それが拡散して床面のシート部分を広範囲で汚してしまう可能性がある。
【０００５】
この発明では、床面に位置するシート部分における尿の拡散を抑制することができる吸収性シートを提供することを課題とする。
【課題を解決するための手段】
【０００６】
第１発明は、縦方向および横方向を有し、透液性のトップシートと、不透液性のバックシートと、これらシートの間に位置する吸収体とを含む吸収性シートの改良にかかわる。この発明は、前記吸収性シートにおいて、前記吸収体は、前記縦方向に並ぶ第１吸収部、第２吸収部および第３吸収部を有し、前記第２吸収部および第３吸収部間に位置する前記トップシートと、前記第１吸収部に位置する前記トップシートとが、接合手段によって互いに接合され、前記第２吸収部と前記第３吸収部とは、互いに連続して形成されることを特徴とする。第２発明は、縦方向および横方向を有し、透液性のトップシートと、不透液性のバックシートと、これらシートの間に位置する吸収体とを含む吸収性シートにおいて、前記吸収体は、前記縦方向に並ぶ第１吸収部、第２吸収部および第３吸収部を有し、前記第２吸収部および第３吸収部間に位置する前記トップシートと、前記第１吸収部に位置する前記トップシートとが、接合手段によって互いに接合され、前記第１吸収部と前記第２吸収部とは、互いに連続して形成されることを特徴とする。
【発明の効果】
【０００７】
この発明の特にそのひとつ以上の実施態様によれば、縦方向に並ぶ第１吸収部、第２吸収部および第３吸収部において、第２および第３吸収部間に位置する接合部によって第１吸収部と互いのトップシートを介して接合される。第３吸収部が第１吸収部に対して起立するようにされた場合、第２吸収部が第３吸収部から延出するようになるので、第３吸収部に吸収された尿等の体液を第２吸収部で吸収することができ、第１吸収部への体液の移行量を低減することができる。
【図面の簡単な説明】
【０００８】
【図１】第１の実施形態における吸収性シートの使用状態の一例を示す斜視図。
【図２】吸収性シートの平面図。
【図３】吸収性シートの平面図。
【図４】図１のＩＶ−ＩＶ線断面図。
【図５】第２の実施形態を示す図。
【図６】第３の実施形態を示す図。
【図７】第４の実施形態を示す図。
【発明を実施するための形態】
【０００９】
＜第１の実施形態＞
図１〜図４は、この発明にかかる吸収性シートの第１の実施形態を示すものである。
図１は、シート１の使用状態を示す斜視図、図２はシート１の折曲線５１で折り畳まれた状態の平面図、図３はシート１を広げた状態の平面図、図４は図１のＩＶ−ＩＶ線断面図である。
【００１０】
図１〜４に示したように、シート１は、縦方向Ｙおよび横方向Ｘを有するとともに、横方向Ｘに延びる前後端縁１ａ，１ｂと、縦方向Ｙに延びる両側縁１ｃとを有する。シート１は、透液性のトップシート２０と不透液性のバックシート３０と、これらシート２０，３０の間に位置する吸液性の吸収体４０とを有する。トップシート２０およびバックシート３０は、同大同形のほぼ矩形とされている。
【００１１】
吸収体４０は、横方向Ｘに延びる前後端縁４０ａ，４０ｂと、縦方向Ｙに延びる両側縁４０ｃとを有している。吸収体４０は、トップシート２０およびバックシート３０よりも小さくされ、吸収体４０の周囲でトップシート２０とバックシート３０とが、図示しないホットメルト接着剤等の接着手段によって互いに接合されている。トップシート２０は、公知の繊維不織布であって、例えば、サーマルボンド繊維不織布を用いることができる。バックシート３０は、例えば、ポリオレフィン系のプラスチックシートやそれらプラスチックシートと不織布のラミネートから形成することができる。
【００１２】
図２に示したように、シート１は、横方向Ｘに延びる接合手段５０によってトップシート２０が互いに対向して接合される。このように接合されることによって、シート１には、横方向Ｘに延びる折曲線５１が形成される。折曲線５１は、吸収体４０に重なる位置に形成される。接合手段５０として、例えば、ホットメルト接着剤を用いることができる。
【００１３】
図４に示したように、吸収体４０は、芯材４４と、芯材４４を覆う被覆シート４５と、被覆シート４５とバックシート３０の間に位置する漏れ防止シート４６とを含む。芯材４４としては、フラッフパルプ、高吸収性ポリマー粒子またはこれらの混合物等を用いることができる。被覆シート４５としては、例えば、ティッシュペーパを用いることができ、漏れ防止シート４６としては、不透液性のプラスチックフィルムを用いることができる。
【００１４】
吸収体４０は、シート１の前端縁１ａから後端縁１ｂに向かって縦方向Ｙに並ぶ第１吸収部４１、第２吸収部４２、第３吸収部４３に区分される。これら第１〜第３吸収部４１〜４３は、縦方向Ｙに連続しているものであって、これらを形成する芯材４４が分断されているものではない。具体的には、第１吸収部４１は、吸収体４０の前端縁４０ａから折曲線５１までの領域、第２吸収部４２は、折曲線５１から接合手段５０までの領域、第３吸収部４３は、接合手段５０から吸収体４０の後端縁４０ｂまでの領域である。このように、接合手段５０は、第２および第３吸収部４２，４３の間に形成され第１吸収部４１に位置するトップシート２０と、第２および第３吸収部４２，４３に位置するトップシート２０とが互いに対向し、接合される。また、第１吸収部４１の厚さ方向には第２吸収部４２が積層され、これらのトップシート２０が互いに対向される。
【００１５】
シート１の第３吸収部４３の縦方向Ｙ外側には、芯材４４が存在しない非存在領域４７が形成される。この非存在領域４７では、トップシート２０とバックシート３０とが、ホットメルト接着剤等によって互いに接合される。
【００１６】
シート１の非存在領域４７におけるバックシート３０には、固定手段６０が取り付けられる。固定手段６０は、具体的には、接着テープを用いることができ、使用前にはその粘着域が露出しないようにこれを内側に向けて折り畳まれる。使用時には粘着域を露出させて被固定部材である壁７１に貼り付けることによって、シート１の第３吸収部４３および非存在領域４７を壁７１に固定させることができる。
【００１７】
上記のようなシート１は、第１吸収部４１を床７２に配置し、接合手段５０を基点として、第３吸収部４３および非存在領域４７を第１吸収部４１から起立させることができる。起立した第３吸収部４３および非存在領域４７は、壁７１に沿うようにして配置し、これを固定手段６０によって固定することができる。このとき、第２吸収部４２は、第３吸収部４３よりも壁７１側へと延出する。また、バックシート３０は、床７２側および壁７１側に対向し、トップシート２０がその反対側に露出される。このようなシート１に向かってペットが排尿した場合であっても、壁７１にシート１の非存在領域４７および第３吸収部４３が位置しているから、壁７１に尿が飛散するのを防止できる。特に雄犬は、後足を上げて高い位置に排尿するが、シート１で壁７１の一部を覆うことができるので、尿で壁が汚れるのを防ぐことができる。また、非存在領域４７に排泄された尿は、その下方に位置する第３吸収部４３へと移行して第３吸収部４３の芯材４４によって吸収される。第３吸収部４３に吸収しきれなかった尿は、さらに下方の床７２側へと移行し、第３吸収部４３に連続する第２吸収部４２に吸収される。第２吸収部４２に吸収しきれなかった尿は、さらに第１吸収部４１へと移行して、これに吸収される。
【００１８】
吸収体４０は、第２吸収部４２を有するから、これを有しない場合に比べて第１吸収部４１に移行される尿を減少させることができる。第１吸収部４１は、床７２に位置させているが、第１吸収部４１が尿等で広範囲において汚れてしまった場合には、ペットがこれを踏んでしまったり、第１吸収部４１から尿が漏れ出してしまったりすることがある。しかし、第２吸収部４２を有することによって、第１吸収部４１の汚れる面積を小さくすることができ、これら不都合を解消することができる。
【００１９】
この実施形態では、第３吸収部４３から移行した尿を起立した第３吸収部４３よりも壁７１側に位置する第２吸収部４２で吸収することができる。ペットは、トップシート２０側から壁７１に向かって排尿するから、第２吸収部４２が壁７１側に位置することで、ペットとは離れた位置で尿を保持することができ、ペットが第２吸収部４２で保持された尿に接触するのを抑制することができる。
また、第２吸収部４２で尿を保持することができるから、一定時間経過後における第１吸収部４１での尿の拡散を抑制することもできる。
【００２０】
少なくとも第２および第３吸収部４２，４３の保水量は、５００〜４０００ｇ／ｍ２としている。なお、この実施形態では、第１〜第３吸収部４１〜４３は同一の材料を用いているので、全ての領域でほぼ同じ保水量を有する。保水量が５００ｇ／ｍ２よりも少ないと、第２および第３吸収部４２，４３で尿を十分に吸収できず、第１吸収部４１に移行する尿が多くなるから、第１吸収部４１の広い範囲に尿が拡散されてしまう。保水量を多くすることによって、第１吸収部４１に移行する尿の量を低減することが可能であるが、一般的に芯材の量も多くなり、吸収体４０が厚くなってしまう。また、保水量が４０００ｇ／ｍ２よりも多くなると、吸収した体液によって第２および第３吸収部４２，４３が重くなり固定手段６０が壁７１から剥がれてしまったり、起立した第３吸収部４３が倒れてしまったりする可能性がある。
【００２１】
＜保水量の測定方法＞
保水量は、シート１の吸収体４０に０．９０％塩化ナトリウム水溶液を吸収させて測定する。具体的には、以下のとおりである。シート１の初期重量および吸収体の面積を測定する。シート１を上記塩化ナトリウム水溶液２０リットル中に１０分間浸す。シート１は、その全てが塩化ナトリウム水溶液中に浸るようにする。次に、シート１を水溶液中から取り出し、１０分間放置し、自然脱水する。すなわち、シート１の表面シート２０を上面にして、シート１を二つ折りにし、折曲線が略水平の棒に一致するようにシート１を掛けて、室内で１０分間放置する。そのシート１を１５０ｇで９０秒間、脱水機で脱水する。脱水後のシート１の重量を測定する。保水量は、以下の計算式により算出した。
｛（脱水後のシートの重量）−（シートの初期重量）｝／吸収体面積×１００
【００２２】
第３吸収部４３の縦方向Ｙにおける長さ寸法は、約２０〜１００ｍｍとしている。上記長さ寸法が２０ｍｍよりも小さい場合には、第３吸収部４３における尿の吸収量が少なくなり、吸収されなかった尿の一部は、第２吸収部４２に移行することなく、直接第１吸収部４１へと流れてしまう可能性がある。直接第１吸収部４１へと尿が流れてしまうと、広い範囲で第１吸収部４１に尿が拡散することになる。上記長さ寸法が１００ｍｍよりも大きい場合には、尿の吸収量が多くなるから、第３吸収部４３が重くなり固定手段６０が壁７１から剥がれてしまったり、起立した第３吸収部４３が倒れてしまったりする可能性がある。
【００２３】
第２吸収部４２の縦方向Ｙにおける長さ寸法は、約１０〜５０ｍｍとしている。この長さ寸法が１０よりも小さいと、第２吸収部４２での保水量が少なくなってしまい、第１吸収部４１への移行量が多くなってしまう。長さ寸法が５０ｍｍよりも大きいと、第３吸収部４３から壁７１側へと延びる量が大きくなり、第３吸収部４３の起立部分である接合手段５０が壁から離れてしまう。起立部分が壁７１から離れてしまうことで、起立した第３吸収部４３を犬などのペットが踏んでしまう可能性が有り、この場合には、固定手段６０が壁７１から剥がれてしまう。なお、第２吸収部４２の保水量は、芯材の種類や量によっても左右されるものであり、この保水量との関係で上記長さ寸法が決定される場合もある。
【００２４】
第３吸収部４３には、吸収体の非存在領域４７が形成されることとしている。非存在領域４７では尿がほとんど保持されないから、特に、シート１の起立部分の上方において、シートが重くなるのを防止することができる。起立したシート１が重くなると、接合手段６０が壁７１から剥がれてしまう可能性があるが、これを防止し、起立したシートが倒れるのを未然に防止することができる。
【００２５】
この発明の実施例と、比較例との液拡散性確認試験をおこなった。実施例のサンプルであるシート１は、第１吸収体４１、第２吸収体４２および第３吸収体４３を含み、これらが連続して形成されている。第２吸収体４２の縦方向Ｙにおける長さ寸法は約２０ｍｍであり、第３吸収体４３の縦方向Ｙにおける長さ寸法は約４０ｍｍである。比較例１のサンプルは、第２および第３吸収体のいずれも存在しない、すなわち、第１吸収体のみのもので、他は実施例と同じ構成である。比較例２のサンプルは、第３吸収体が存在しないもので、他は実施例と同じ構成である。比較例３のサンプルは、第２吸収体が存在しないもので、他は実施例と同じ構成である。
【００２６】
＜液拡散性確認試験方法＞
各サンプルは、接合手段５０を基点に起立させ、これを固定手段６０で壁に固定した。シートと壁との角度を約４度とした。接合手段５０から吸収体の非存在領域４７に向かって２００ｍｍの位置において、シリンジ（５０ｍｌ容量テルモシリンジ、針無し）を用いて０．９０％塩化ナトリウム水溶液を４０ｍｌ滴下した。塩化ナトリウム水溶液は、トップシートから１０ｍｍの距離からトップシートに向かってほぼ垂直に、約１０秒で滴下された。
【００２７】
水溶液滴下開始後、トップシート２０の表面を伝って第１吸収体４１側へ流れた液の量を液滑り量とし、水溶液滴下開始１０秒後の第１吸収体４１への液の流れ量を１０秒後拡散量とし、水溶液滴下開始１分後の第１吸収体４１への液の流れ量を１分後拡散量としている。液滑り量は、トップシート２０に流れた液を直接目視により確認し、接合手段からシート１の前端縁１ａ側の最も離れた地点までの距離を測定した。１０秒後拡散量および１分後拡散量は、第１吸収体４１に流れた溶液を、トップシート２０を透過して目視により確認し、接合手段からシート１の前端縁１ａ側の最も離れた地点までの距離を測定した。測定は３回行い、平均値を求めた。
【００２８】
【表１】
0005892738.tif 000002
【００２９】
表１に示したように、比較例１〜３のいずれも、実施例に比較して液滑り量、１０秒後拡散量、１分後拡散量の全てにおいて、第１吸収部４１の広い部分に溶液が拡散していることが理解される。なお、表には示していないが、第２吸収部と第３吸収部とが離間されているもの、第１吸収部と第２吸収部とが離間されているものについても同様の試験をおこなったが、結果は実施例とほぼ同程度であって、比較例１〜３と比較して、第１吸収部への溶液の拡散を抑制することができた。
【００３０】
＜第２の実施形態＞
図５は、この発明の第２の実施形態を示したものであって図４と同様の図である。図示したように、この実施形態では、第２吸収部４２と第３吸収部４３とが、縦方向Ｙにおいて互いに離間されている。具体的には、第２吸収部４２と第３吸収部４３とにおいて、それぞれ被覆シート４５で包まれた芯材４４が配置され、これら第２および第３吸収部４２，４３が縦方向Ｙに離間されて配置されている。他の構成要素は、第１の実施形態と同様である。同様の構成要素については、第１の実施形態の説明と同じ符号を用い、その詳細な説明を省略する。
【００３１】
この第２の実施形態では、第２および第３吸収部４２，４３の間では、トップシート２０とバックシート３０とが直接接合され、第２および第３吸収部４２，４３を区画している。接合手段５０は、第２および第３吸収部４２，４３間であって、芯材が位置していない、すなわちトップシート２０とバックシート３０とが直接接合された部分に形成されている。なお、第１吸収部４１と第２吸収部４２とは、連続して一体的に形成されている。
【００３２】
上記のように第２および第３吸収部４２，４３を離間させることによって、この離間部分では、他の部分との剛性差が生じるから、この離間部分を基点としてシート１が折れ曲がりやすくなる。したがって、第３吸収部４３が起立し易くなり、第３吸収部４３および非存在領域４７を壁７１に固定し易くなる。さらに、第２および第３吸収部４２，４３間に接合手段５０を形成することによって、他の部分との剛性差はより一層大きくなり、第３吸収部４３が第１吸収部４１に対して折れ曲がり、起立し易くなる。
【００３３】
第２および第３吸収部４２，４３が離間することによって、第３吸収部４３に吸収された尿は、直接第２吸収部４２に移行することはないが、尿はトップシート２０を伝って第２吸収部４２移行することができる。したがって、第１吸収部４１に移行する尿の量を減少させることが可能である。第２および第３吸収部４２，４３の離間寸法は、約１０ｍｍ以下とするのが望ましい。離間距離が大きくなりすぎると、第３吸収部４３から第２吸収部４２への尿の移行が遅滞する可能性があるからである。
【００３４】
＜第３の実施形態＞
図６は、この発明の第３の実施形態を示したものであって図４と同様の図である。この実施形態では、第１吸収部４１と第２吸収部４２とが互いに離間して形成されている。他の構成は、第１の実施形態と同様である。この同様の構成要素については、第１の実施形態と同じ符号を用い、その詳細な説明を省略する。
【００３５】
この第３の実施形態において、第１吸収部４１と第２吸収部４２との離間部分では、トップシート２０とバックシート３０とが漏れ防止シート４６を介して互いに接合されている。このように第１吸収部４１と第２吸収部４２とが離間されることによって、この離間部分に沿ってシート１が折れ曲がりやすくなり、折曲線５１を容易に形成することができる。シート１が折り畳みやすく、かつ、型崩れし難くすることができるので、包装の際の取り扱いが容易になる。なお、この実施形態では、第２吸収部４２と第３吸収部４３とは、連続して一体的に形成されている。
【００３６】
＜第４の実施形態＞
図７は、この発明の他の実施形態を示したものであって図４と同様の図である。この実施形態では、第１吸収部４１と第２吸収部４２とが離間され、かつこれらを包むトップシートおよびバックシートも縦方向Ｙに離間される。すなわち、シート１は、第１吸収部４１を包む第１トップシート２０ａおよび第１バックシート３０ａと、第２および第３吸収部４２，４３を包む第２トップシート２０ｂおよび第２バックシート３０ｂとを有する。他の構成については、第１の実施形態と同様である。この同様の構成要素については、第１の実施形態と同じ符号を用い、その説明を省略する。
【００３７】
第１および第２トップシート２０ａ，２０ｂは、第１および第２吸収部４１，４２の外側において、横方向Ｘに延びる接合手段５２によって接合される。したがって、第１および第２吸収部４１，４２間に折曲線は形成されない。接合手段５２を形成することによって、第１および第２吸収部４１，４２から壁７１側に向かって尿等が漏れるのを防止することができる。
【００３８】
上記実施形態を含むこの発明において、第１および第２吸収部４１，４２が厚さ方向において分離されているが、これが一体となっていてもよい。具体的には、例えば、第１および第２吸収部４１，４２の芯材を被覆シートで一緒に包んだもの、第１および第２吸収部４１，４２の間にトップシート２０が存在しないものを含む。
【００３９】
第１吸収部４１は、第２吸収部４２の下方にまで延びて第１吸収部４１と第２吸収部４２とがトップシート２０を互いに対向させて厚さ方向において積層されているが、第１吸収部４１と第２吸収部４２とが積層されていない場合を含む。例えば、第１吸収部４１が前端縁４０ａから接合手段５０までの長さ寸法を有し、接合手段５０から折曲線５１側へは延びていない場合を含む。ただし、第２吸収部４２が第１吸収部４１の厚さ方向において積層されることによって、これら第１吸収部４１と第２吸収部４２との接触面積を大きくすることができ、第２吸収部４２を安定的に保持することができる。したがって、第２吸収部４２を第３吸収部４３よりも壁７１側に確実に位置させることができる。また、上記構成によって、第２吸収部４２で保持できなかった尿を速やかに第１吸収部４１で吸収することができるので、尿の漏れを防止することもできる。
【００４０】
以上に記載したこの発明に関する開示は、少なくとも下記事項に要約することができる。
この発明は、以下の吸収性シートの改良にかかわる。吸収性シート１は、縦方向Ｙおよび横方向Ｘを有し、透液性のトップシート２０と、不透液性のバックシート３０と、これらシート２０，３０の間に位置する吸収体４０とを含む。
【００４１】
この発明は、前記吸収性シート１において以下の点を特徴とする。第１発明の吸収性シート１は、前記吸収体４０は、前記縦方向Ｙ並ぶ第１吸収部４１、第２吸収部４２および第３吸収部４３を有し、前記第２吸収部４２および第３吸収部４３間に位置する前記トップシート２０と、前記第１吸収部４１に位置する前記トップシート２０とが、接合手段５０によって互いに接合され、前記第２吸収部４２と前記第３吸収部４３とは、互いに連続して形成される。第２発明の吸収性シート１は、前記吸収体４０は、前記縦方向Ｙ並ぶ第１吸収部４１、第２吸収部４２および第３吸収部４３を有し、前記第２吸収部４２および第３吸収部４３間に位置する前記トップシート２０と、前記第１吸収部４１に位置する前記トップシート２０とが、接合手段５０によって互いに接合され、前記第１吸収部４１と前記第２吸収部４２とは、互いに連続して形成される。
【００４２】
上記の発明は、少なくとも下記の実施の形態を含むことができる。
（１）前記第１吸収部４１と前記第２吸収部４２との間には、前記横方向Ｘに延びる折曲線５１が形成される。
（２）前記接合手段５０は、前記横方向Ｘに延びる。
（３）前記吸収体４０は、芯材４４と、前記芯材４４を覆う被覆シートと、前記被覆シートと前記バックシートとの間に位置する漏れ防止シートとを含み、吸収性シート１は、前記第３吸収部４３の前記縦方向Ｙ外側において、前記トップシート２０および前記バックシート３０が互いに直接接合され、芯材４４が存在しない非存在領域４７をさらに含む。
（５）前記第２吸収部４２は、前記第１吸収部４１の厚さ方向に積層される。
（６）前記非存在領域４７が位置する前記バックシート３０には、被固定部材７１に対する固定手段６０が形成される。
（７）前記第２および第３吸収部４２，４３の保水量は、５００〜４０００ｇ／ｍ２である。
（８）前記第３吸収部４３は、前記縦方向Ｙにおける長さ寸法が２０〜１００ｍｍである。
【００４３】
シート１を構成する各構成部材には、この明細書に記載されている材料のほかに、この種の分野において通常用いられている、各種の公知の材料を制限なく用いることができる。また、この発明の明細書において、用語「第１」「第２」および「第３」は、同様の要素、位置等を単に区別するために用いられている。
【符号の説明】
【００４４】
１    吸収性シート
２０  トップシート
２０ａ  第１トップシート
２０ｂ  第２トップシート
３０  バックシート
３０ａ  第１バックシート
３０ｂ  第２バックシート
４０  吸収体
４０ａ  前端縁
４０ｂ  後端縁
４１  第１吸収部
４２  第２吸収部
４３  第３吸収部
４７  非存在領域
５０  接合手段
５１  折曲線
６０  固定手段
７１  被固定部材（壁）
Ｘ    横方向
Ｙ    縦方向
【図１】
0005892738.tif 000003
【図２】
0005892738.tif 000004
【図３】
0005892738.tif 000005
【図４】
0005892738.tif 000006
【図５】
0005892738.tif 000007
【図６】
0005892738.tif 000008
【図７】
0005892738.tif 000009